(57)【特許請求の範囲】
【請求項１】
装置外部の交流電源から受電した電力の変換を行う電力変換部を含む複数の無停電電源モジュールと、
前記装置外部の交流電源から受電した電力を前記電力変換部に入力するとともに、前記電力変換部により変換された電力を外部に出力する入出力モジュールと、
前記複数の無停電電源モジュールと、前記入出力モジュールとの間に配置され、前記複数の無停電電源モジュールを前記無停電電源モジュールごとに電気的に切り離す解列動作を行う解列スイッチが収納された筐体を含む解列モジュールと、を備える、無停電電源装置。
【請求項２】
前記解列モジュールの前記筐体には、前記複数の無停電電源モジュールの各々に対応するように、前記複数の無停電電源モジュールを前記無停電電源モジュールごとに解列動作を行う複数の前記解列スイッチが収納されている、請求項１に記載の無停電電源装置。
【請求項３】
前記解列モジュールの前記筐体に収納される前記解列スイッチは、前記装置外部の交流電源と前記複数の無停電電源モジュールの各々との間に設けられる交流入力解列スイッチと、前記複数の無停電電源モジュールの各々の交流出力側に設けられる交流出力解列スイッチと、前記複数の無停電電源モジュールの各々に対する直流入力側に設けられる直流入力解列スイッチとを含む、請求項２に記載の無停電電源装置。
【請求項４】
前記複数の無停電電源モジュールは、互いに隣接して配置されており、
前記解列モジュールに最も近接して配置された前記無停電電源モジュールは、自身の前記電力変換部と前記解列スイッチとを電気的に接続するための接続配線と、他の前記複数の無停電電源モジュールと複数の前記解列スイッチとを電気的に接続するために設けられた中継配線とを含み、
前記解列モジュールに最も近接して配置された前記無停電電源モジュールには、前記中継配線が、中継する各々の前記無停電電源モジュールに対応して、設けられている、請求項２または３に記載の無停電電源装置。
【請求項５】
前記複数の無停電電源モジュールは、前記入出力モジュール側から順に配置される第１無停電電源モジュール、第２無停電電源モジュール、および、第３無停電電源モジュールを含み、
前記第２無停電電源モジュールを前記解列スイッチに接続するための前記中継配線である第１中継配線が、前記第１無停電電源モジュールに設けられており、
前記第３無停電電源モジュールを前記解列スイッチに接続するための前記中継配線である第２中継配線が、前記第１無停電電源モジュール、および、前記第２無停電電源モジュールに、設けられている、請求項４に記載の無停電電源装置。
【請求項６】
前記第１無停電電源モジュール、前記第２無停電電源モジュール、および、前記第３無停電電源モジュールには、前記第３無停電電源モジュールの前記第２無停電電源モジュールが配置された側とは反対側に前記無停電電源モジュールを配置した際に、配置された前記無停電電源モジュールを前記解列スイッチに接続するための前記中継配線である第３中継配線が設けられている、請求項５に記載の無停電電源装置。
【請求項７】
前記接続配線、および、前記中継配線は、共に、複数の板状の導電体と、前記複数の板状の導電体を覆う絶縁体との積層により構成されたラミネートブスバーであり、
前記接続配線は、少なくとも１つの前記ラミネートブスバーにより構成されており、
前記第１中継配線は、少なくとも２つの前記ラミネートブスバーを連結して構成されており、
前記第２中継配線は、少なくとも３つの前記ラミネートブスバーを連結して構成されており、
前記接続配線、前記第１中継配線、および、前記第２中継配線は、平面視において、重なるように配置されている、請求項５または６に記載の無停電電源装置。
【請求項８】
前記解列モジュールは、第１解列モジュールと第２解列モジュールとを含み、
前記第１解列モジュールは、前記複数の無停電電源モジュールのうちの一部の前記無停電電源モジュールに接続され、
前記第２解列モジュールは、前記複数の無停電電源モジュールのうちの残りの前記無停電電源モジュールに接続されている、請求項１〜７のいずれか１項に記載の無停電電源装置。
【請求項９】
前記解列モジュールの１つあたりの幅は、前記無停電電源モジュールの１つあたりの幅よりも小さい、請求項８に記載の無停電電源装置。
【発明の詳細な説明】
【技術分野】
【０００１】
この発明は、無停電電源装置に関し、特に、複数の無停電電源モジュールを備える無停電電源装置に関する。
【背景技術】
【０００２】
従来、複数の無停電電源モジュールを備える無停電電源装置が知られている（たとえば、特許文献１参照）。
【０００３】
上記特許文献１には、共通の交流入力電源と、電力変換部を内部に含む複数の無停電電源モジュールと、を備える無停電電源装置が開示されている。複数の無停電電源モジュールの内部には、共通の交流入力電源と無停電電源モジュール内部の電力変換部とを電気的に切り離すスイッチが、無停電電源モジュールごとに設けられている。この特許文献１に記載の無停電電源装置による無停電電源モジュールは、無停電電源モジュールごとに設けられたスイッチにより、共通の交流入力電源と無停電電源モジュール内部の電力変換部とを無停電電源モジュールごとに電気的に切り離し可能に構成されている。
【先行技術文献】
【特許文献】
【０００４】
【特許文献１】特開２０１１−７２０６８号公報
【発明の概要】
【発明が解決しようとする課題】
【０００５】
上記特許文献１の無停電電源装置において、無停電電源モジュールは、無停電電源モジュールごとに設けられたスイッチにより、共通の交流入力電源と無停電電源モジュール内部の電力変換部とを無停電電源モジュールごとに電気的に切り離し可能に構成されている。しかしながら、無停電電源モジュールの保守を行う際に、保守を行おうとする無停電電源モジュール内部の電力変換部と交流入力電源とをスイッチにより、電気的に切り離しても、スイッチは、各無停電電源モジュールの内部に設けられているので、無停電電源モジュールの内部を完全に無電圧にすることはできず、スイッチ自体には、共通の交流入力電源側から電力が供給され続ける。そのため、無停電電源モジュールの内部に設けられたスイッチの保守、および、交換を行うには、保守を行おうとする無停電電源モジュールの内部を完全に無電圧にするために、共通の交流入力電源からの電力の供給を停止させ、全ての無停電電源モジュールからの給電を停止させる必要がある。その結果、複数の無停電電源モジュールのうち、いずれかの無停電電源モジュールの保守を行う際に、無停電電源モジュールからの給電を完全に停止しなければ、無停電電源モジュールの内部に設けられたスイッチの保守および交換を行うことができず、スイッチの保守および交換中は、保守を行っていない無停電電源モジュールからの給電を行うことができないという問題点がある。
【０００６】
この発明は、上記のような課題を解決するためになされたものであり、この発明の１つの目的は、無停電電源モジュールの保守を行う際に、保守を行っていない無停電電源モジュールにより給電を行いながら、保守を行おうとする無停電電源モジュールの全ての部品の保守および交換が可能な無停電電源装置を提供することである。
【課題を解決するための手段】
【０００７】
上記目的を達成するために、この発明の一の局面による無停電電源装置は、装置外部の交流電源から受電した電力の変換を行う電力変換部を含む複数の無停電電源モジュールと、装置外部の交流電源から受電した電力を電力変換部に入力するとともに、電力変換部により変換された電力を外部に出力する入出力モジュールと、複数の無停電電源モジュールと、入出力モジュールとの間に配置され、複数の無停電電源モジュールを無停電電源モジュールごとに電気的に切り離す解列動作を行う解列スイッチが収納された筐体を含む解列モジュールと、を備える。
【０００８】
上記一の局面による無停電電源装置は、上記のように、複数の無停電電源モジュールと、入出力モジュールとの間に配置され、複数の無停電電源モジュールを無停電電源モジュールごとに電気的に切り離す解列動作を行う解列スイッチが収納された筐体を含む解列モジュールと、を備える。これにより、解列モジュールの筐体内に収納された解列スイッチにより、無停電電源モジュールごとに、無停電電源モジュール全体を電気的に切り離すことができるので、交流電源からの電力の供給を停止させ、保守を行っていない無停電電源モジュールからの給電を完全に停止しなくても、保守を行おうとする無停電電源モジュールの全ての部品の保守および交換を行うことができる。その結果、無停電電源モジュールの保守を行う際に、保守を行っていない無停電電源モジュールにより給電を行いながら、保守を行おうとする無停電電源モジュールの全ての部品の保守および交換が可能な無停電電源装置を提供することができる。
【０００９】
上記一の局面による無停電電源装置において、好ましくは、解列モジュールの筐体には、複数の無停電電源モジュールの各々に対応するように、複数の無停電電源モジュールを無停電電源モジュールごとに解列動作を行う複数の解列スイッチが収納されている。このように構成すれば、複数の無停電電源モジュールごとに複数の解列スイッチが設けられているので、複数の無停電電源モジュールごとの解列動作を確実に行うことができる。
【００１０】
上記一の局面による無停電電源装置において、好ましくは、解列モジュールの筐体に収納される解列スイッチは、装置外部の交流電源と複数の無停電電源モジュールの各々との間に設けられる交流入力解列スイッチと、複数の無停電電源モジュールの各々の交流出力側に設けられる交流出力解列スイッチと、複数の無停電電源モジュールの各々に対する直流入力側に設けられる直流入力解列スイッチとを含む。このように構成すれば、交流入力側、交流出力側、および、直流入力側のそれぞれにおいて、解列スイッチ（交流入力解列スイッチ、交流出力解列スイッチ、および、直流入力解列スイッチ）が設けられるので、交流入力側、交流出力側、および、直流入力側のそれぞれにおいて、解列動作を行うことができる。
【００１１】
上記一の局面による無停電電源装置において、好ましくは、複数の無停電電源モジュールは、互いに隣接して配置されており、解列モジュールに最も近接して配置された無停電電源モジュールは、自身の電力変換部と解列スイッチとを電気的に接続するための接続配線と、他の複数の無停電電源モジュールと複数の解列スイッチとを電気的に接続するために設けられた中継配線とを含み、解列モジュールに最も近接して配置された無停電電源モジュールには、中継配線が、中継する各々の無停電電源モジュールに対応して、設けられている。このように構成すれば、解列モジュールに最も近接して配置された無停電電源モジュールに、他の複数の無停電電源モジュールと複数の解列スイッチとを電気的に接続するために設けられた中継配線が設けられていることにより、他の無停電電源モジュールは、解列モジュールに最も近接して配置された無停電電源モジュールの中継配線に電気的に接続するだけで、解列モジュールに電気的に接続することができる。その結果、解列モジュールに最も近接して配置された無停電電源モジュールに中継配線を設けない場合に比べて、他の無停電電源モジュールを、容易に解列モジュールに電気的に接続することができる。
【００１２】
上記一の局面による無停電電源装置において、好ましくは、複数の無停電電源モジュールは、入出力モジュール側から順に配置される第１無停電電源モジュール、第２無停電電源モジュール、および、第３無停電電源モジュールを含み、第２無停電電源モジュールを解列スイッチに接続するための中継配線である第１中継配線が、第１無停電電源モジュールに設けられており、第３無停電電源モジュールを解列スイッチに接続するための中継配線である第２中継配線が、第１無停電電源モジュール、および、第２無停電電源モジュールに、設けられている。このように構成すれば、第１中継配線が第１無停電電源モジュールに設けられていることにより、第２無停電電源モジュールは、第１無停電電源モジュールの第１中継配線に電気的に接続するだけで、解列モジュールに電気的に接続することができる。また、第２中継配線が第１無停電電源モジュール、および、第２無停電電源モジュールに、設けられていることにより、第３無停電電源モジュールは、第２無停電電源モジュールの第２中継配線に電気的に接続するだけで、解列モジュールに電気的に接続することができる。その結果、第１中継配線を第１無停電電源モジュールに、第２中継配線を第１無停電電源モジュール、および、第２無停電電源モジュールに、設けない場合に比べて、第２無停電電源モジュール、および、第３無停電電源モジュールと、解列モジュールと、を容易に電気的に接続することができる。
【００１３】
上記一の局面による無停電電源装置において、好ましくは、第１無停電電源モジュール、第２無停電電源モジュール、および、第３無停電電源モジュールには、第３無停電電源モジュールの第２無停電電源モジュールが配置された側とは反対側に無停電電源モジュールを配置した際に、配置された無停電電源モジュールを解列スイッチに接続するための中継配線である第３中継配線が設けられている。このように構成すれば、第３無停電電源モジュールの第２無停電電源モジュールが配置された側とは反対側に無停電電源モジュールを新たに配置する際に、予め設けられた第３中継配線に接続することにより、新たに配置された無停電電源モジュールと解列モジュールとを電気的に接続することができる。これにより、無停電電源モジュールを新たに配置する際に、解列モジュールと電気的に接続するための配線を新たに設ける場合に比べて、無停電電源モジュールの増設を容易に行うことができる。
【００１４】
上記一の局面による無停電電源装置において、好ましくは、接続配線、および、中継配線は、共に、複数の板状の導電体と、複数の板状の導電体を覆う絶縁体との積層により構成されたラミネートブスバーであり、接続配線は、少なくとも１つのラミネートブスバーにより構成されており、第１中継配線は、少なくとも２つのラミネートブスバーを連結して構成されており、第２中継配線は、少なくとも３つのラミネートブスバーを連結して構成されており、接続配線、第１中継配線、および、第２中継配線は、平面視において、重なるように配置されている。このように構成すれば、接続配線、第１中継配線、および、第２中継配線の各々を絶縁した状態において、重ねて配置することができるので、配置スペースが狭い場合でも、接続配線、第１中継配線、および、第２中継配線を容易に配置することができる。また、第１中継配線および第２中継配線は、複数のラミネートブスバーを連結して構成されているので、ラミネートブスバーの連結箇所からの取り外し、および、取り付けを行うことができる。これにより、１つのラミネートブスバーにより、第１中継配線および第２中継配線を構成する場合に比べて、取り外し、および、取り付け可能な箇所を増やすことができる。その結果、各無停電電源モジュールの取り外し、および、増設の際に、第１中継配線、および、第２中継配線の取り外し、および、取り付けを容易に行うことができる。
【００１５】
上記一の局面による無停電電源装置において、好ましくは、解列モジュールは、第１解列モジュールと第２解列モジュールとを含み、第１解列モジュールは、複数の無停電電源モジュールのうちの一部の無停電電源モジュールに接続され、第２解列モジュールは、複数の無停電電源モジュールのうちの残りの無停電電源モジュールに接続されている。このように構成すれば、第１解列モジュールおよび第２解列モジュールのそれぞれに無停電電源モジュールが接続されるので、一方の解列モジュールに不具合が発生して、一方の解列モジュールに接続された無停電電源モジュールを用いての電力供給が行えない場合でも、もう一方の解列モジュールに接続された無停電電源モジュールを用いて電力供給を行うことができる。
【００１６】
上記一の局面による無停電電源装置において、好ましくは、解列モジュールの１つあたりの幅は、無停電電源モジュールの１つあたりの幅よりも小さい。このように構成すれば、解列モジュールの１つあたりの幅が、無停電電源モジュールの１つあたりの幅より小さくなるので、解列モジュールを設けたとしても、解列モジュールの１つあたりの幅が、無停電電源モジュールの１つあたりの幅よりも大きい、または、同じ場合に比べて、無停電電源装置全体の幅が大きくなるのを抑制することができる。
【発明の効果】
【００１７】
本発明によれば、上記のように、無停電電源モジュールの保守を行う際に、保守を行っていない無停電電源モジュールにより給電を行いながら、保守を行おうとする無停電電源モジュールの全ての部品の保守および交換が可能な無停電電源装置を提供することができる。
【図面の簡単な説明】
【００１８】
【図１】本発明の一実施形態による無停電電源装置の回路構成図である。
【図２】本発明の一実施形態の無停電電源装置によるモジュールの配置を模式的に示した正面図である。
【図３】本発明の一実施形態の解列モジュールと無停電電源モジュールとの接続を模式的に示した正面図である。
【図４】本発明の一実施形態の無停電電源装置による交流入力側の接続配線および中継配線の斜視図である。
【図５】図４の２００−２００線に沿った断面図である。
【図６】本発明の一実施形態の無停電電源装置による交流出力側の接続配線および中継配線の斜視図である。
【図７】図６の３００−３００線に沿った断面図である。
【図８】本発明の一実施形態の無停電電源装置による直流入力側の接続配線および中継配線の斜視図である。
【図９】図８の４００−４００線に沿った断面図である。
【発明を実施するための形態】
【００１９】
以下、本発明を具体化した実施形態を図面に基づいて説明する。
【００２０】
（無停電電源装置の全体構成）
図１〜図３を参照して、本実施形態による無停電電源装置１００の回路構成と各モジュールの配置について説明する。
【００２１】
図１に示すように、無停電電源装置１００は、複数の無停電電源モジュール１０（第１無停電電源モジュール１、第２無停電電源モジュール２、第３無停電電源モジュール３、および、第４無停電電源モジュール４）と、入出力モジュール５（Ｉ／Ｏモジュール）と、解列モジュール６０（第１解列モジュール６および第２解列モジュール７）と、を備えている。また、無停電電源装置１００は、制御モジュール８を備えている。また、無停電電源装置１００は、３相（Ｕ相、Ｖ相、および、Ｗ相）の交流電力が入力されるとともに、３相の交流電力を出力するように構成されている。また、無停電電源装置１００は、２相（Ｐ相およびＮ相）の直流電力が入力されるように構成されている。
【００２２】
複数の無停電電源モジュール１０は、入出力モジュール５側から順に配置される第１無停電電源モジュール１、第２無停電電源モジュール２、および、第３無停電電源モジュール３を含む。具体的には、本実施形態による無停電電源装置１００において、各モジュールは、入出力モジュール５側から順に制御モジュール８、第２解列モジュール７、第１解列モジュール６、第１無停電電源モジュール１、第２無停電電源モジュール２、第３無停電電源モジュール３、第４無停電電源モジュール４の順に配置（図２参照）されている。
【００２３】
複数の無停電電源モジュール１０（第１無停電電源モジュール１、第２無停電電源モジュール２、第３無停電電源モジュール３、および、第４無停電電源モジュール４）は、互いに隣接して配置されている。また、複数の無停電電源モジュール１０は、互いに電気的に並列に配置されている。複数の無停電電源モジュール１０は、装置外部の交流電源５１から受電した電力の変換を行う電力変換部１１（図１参照）を含む。電力変換部１１は、整流回路１２と、チョッパ回路１３と、インバータ回路１４とを含む。また、電力変換部１１は、炭化珪素（ＳｉＣ）により構成された素子を含む。これにより、電力変換部１１は、シリコンにより構成された素子からなる場合に比べて、電力損失を低減し、電力損失に起因する発熱量が低減される。また、電力変換部１１は、後述するように、ラミネートブスバーにより構成された接続配線９１、接続配線９２、接続配線９３、中継配線２１、中継配線２２、中継配線２３、中継配線３１、中継配線３２、中継配線３３、中継配線４１、中継配線４２、および、中継配線４３のいずれかを介して、電気的に解列モジュール６０（第１解列モジュール６、または、第２解列モジュール７）に設けられた解列スイッチ９に接続されている。
【００２４】
整流回路１２は、電力変換部１１に入力される交流電力を直流電力に変換する機能を有する。チョッパ回路１３は、たとえば、３レベルチョッパ回路として構成されている。チョッパ回路１３は、バッテリ５３から入力された電圧を変圧して出力する機能を有する。バッテリ５３から入力される直流電力は、図示しない、コンダクタ、コンデンサ、および、直流リアクトルを介して、チョッパ回路１３に入力されている。インバータ回路１４は、整流回路１２およびチョッパ回路１３から入力される直流電力を交流電力に変換する機能を有する。
【００２５】
また、無停電電源モジュール１０は、交流入力側スイッチ１５を含む。交流入力側スイッチ１５は、交流電源５１からの交流電力が入力される。なお、交流入力側スイッチ１５は、相（Ｕ相、Ｖ相、および、Ｗ相）ごとに設けられている。図１および図３には、交流入力側スイッチ１５は、簡略化のために３相（Ｕ相、Ｖ相、および、Ｗ相）分をまとめて示している。
【００２６】
また、無停電電源モジュール１０は、交流出力側スイッチ１６を含む。交流出力側スイッチ１６は、電力変換部１１からの交流電力を出力するように構成されている。なお、交流出力側スイッチ１６は、相（Ｕ相、Ｖ相、および、Ｗ相）ごとに設けられている。図１および図３には、交流出力側スイッチ１６は、簡略化のために３相（Ｕ相、Ｖ相、および、Ｗ相）分をまとめて示している。
【００２７】
また、無停電電源モジュール１０は、直流入力側スイッチ１７を含む。直流入力側スイッチ１７は、バッテリ５３からの直流電力が入力される。なお、直流入力側スイッチ１７は、相（Ｐ相およびＮ相）ごとに設けられている。図１および図３には、直流入力側スイッチ１７は、簡略化のために２相（Ｐ相およびＮ相）分をまとめて示している。
【００２８】
電力変換部１１、交流入力側スイッチ１５、交流出力側スイッチ１６、および、直流入力側スイッチ１７は、複数の無停電電源モジュール１０（第１無停電電源モジュール１、第２無停電電源モジュール２、第３無停電電源モジュール３、および、第４無停電電源モジュール４）の各々に含まれている。
【００２９】
入出力モジュール５は、装置外部の交流電源５１から受電した電力を電力変換部１１に入力するとともに、電力変換部１１により変換された電力を外部に出力するように構成されている。
【００３０】
制御モジュール８は、複数の無停電電源モジュール１０（第１無停電電源モジュール１、第２無停電電源モジュール２、第３無停電電源モジュール３、および、第４無停電電源モジュール４）の制御を行うモジュールである。また、制御モジュール８には、直送回路８１が設けられている。直送回路８１は、交流電源５１と、複数の無停電電源モジュール１０の出力側（負荷５２側）とに接続されている。
【００３１】
（解列モジュール）
本実施形態では、解列モジュール６０（第１解列モジュール６および第２解列モジュール７）は、複数の無停電電源モジュール１０（第１無停電電源モジュール１、第２無停電電源モジュール２、第３無停電電源モジュール３、および、第４無停電電源モジュール４）と、入出力モジュール５との間に配置（図２参照）されている。また、第１解列モジュール６および第２解列モジュール７の１つあたりのＸ方向に沿った幅Ｗ１は、図２に示すように、無停電電源モジュール１０（第１無停電電源モジュール１、第２無停電電源モジュール２、第３無停電電源モジュール３、および、第４無停電電源モジュール４）の１つあたりのＸ方向に沿った幅Ｗ２よりも小さい。
【００３２】
（解列スイッチ）
第１解列モジュール６は、第２解列モジュール７と第１無停電電源モジュール１との間に配置され、複数の無停電電源モジュール１０（第１無停電電源モジュール１、および、第２無停電電源モジュール２）の各々に対応するように、無停電電源モジュール１０ごとに電気的に切り離す解列動作を行う解列スイッチ９が収納された筐体６４を含む。また、第２解列モジュール７は、制御モジュール８と第１解列モジュール６との間に配置され、複数の無停電電源モジュール１０（第３無停電電源モジュール３、および、第４無停電電源モジュール４）の各々に対応するように、無停電電源モジュール１０ごとに電気的に切り離す解列動作を行う解列スイッチ９が収納された筐体７４を含む。なお、解列スイッチ９は、ディスコネクトスイッチを含み、作業者（ユーザ）の操作により、無停電電源モジュール１０ごとに解列が行える（電気的に切り離せる）ように、構成されている。また、解列スイッチ９は、スイッチごとに異なる方式のスイッチを用いてもよく、ディスコネクトスイッチ以外のスイッチ、たとえば、ナイフスイッチなどを含んでもよい。
【００３３】
解列スイッチ９は、第１解列モジュール６の筐体６４内に設けられた、交流入力解列スイッチ６１と、交流出力解列スイッチ６２と、直流入力解列スイッチ６３を含む。また、解列スイッチ９は、第２解列モジュール７の筐体７４内に設けられた、交流入力解列スイッチ７１と、交流出力解列スイッチ７２と、直流入力解列スイッチ７３を含む。
【００３４】
また、本実施形態では、装置外部の交流電源５１と複数の無停電電源モジュール１０（第１無停電電源モジュール１、第２無停電電源モジュール２、第３無停電電源モジュール３、および、第４無停電電源モジュール４）の各々との間には、交流入力解列スイッチ６１、または、交流入力解列スイッチ７１が設けられている。なお、交流入力解列スイッチ６１および交流入力解列スイッチ７１のそれぞれは、各無停電電源モジュール１０の相（Ｕ相、Ｖ相、および、Ｗ相）ごとに設けられている。すなわち、交流入力解列スイッチ６１、または、交流入力解列スイッチ７１は、各無停電電源モジュール１０あたり、３つずつ設けられている。図１および図３には、交流入力解列スイッチ６１および交流入力解列スイッチ７１は、簡略化のために３相（Ｕ相、Ｖ相、および、Ｗ相）分をまとめて示している。
【００３５】
複数の無停電電源モジュール１０の各々の交流出力側には、交流出力解列スイッチ６２、または、交流出力解列スイッチ７２が設けられている。なお、交流出力解列スイッチ６２、および、交流出力解列スイッチ７２のそれぞれは、各無停電電源モジュール１０の相（Ｕ相、Ｖ相、および、Ｗ相）ごとに設けられている。すなわち、交流出力解列スイッチ６２、または、交流出力解列スイッチ７２は、各無停電電源モジュール１０あたり、３つずつ設けられている。図１および図３には、交流出力解列スイッチ６２、および、交流出力解列スイッチ７２は、簡略化のために３相（Ｕ相、Ｖ相、および、Ｗ相）分をまとめて示している。
【００３６】
複数の無停電電源モジュール１０の各々に対する直流入力側には、直流入力解列スイッチ６３、または、直流入力解列スイッチ７３が設けられている。なお、直流入力解列スイッチ６３、および、直流入力解列スイッチ７３のそれぞれは、各無停電電源モジュール１０の相（Ｐ相およびＮ相）ごとに設けられている。すなわち、直流入力解列スイッチ６３、または、直流入力解列スイッチ７３は、各無停電電源モジュール１０あたり、２つずつ設けられている。図１および図３には、直流入力解列スイッチ６３、および、直流入力解列スイッチ７３は、簡略化のために２相（Ｐ相およびＮ相）分をまとめて示している。
【００３７】
（接続配線）
本実施形態では、第１無停電電源モジュール１は、図３に示すように、自身の電力変換部１１と解列スイッチ９とを電気的に接続するための接続配線９１、９２、および、９３を筐体１８内に含む。なお、第１無停電電源モジュール１は、解列モジュール６０に最も近接して配置された無停電電源モジュール１０である。また、接続配線９１、９２、および、９３は、いずれも特許請求の範囲の「接続配線」の一例である。
【００３８】
第１解列モジュール６の電力変換部１１は、接続配線９１、９２、および、９３を介して、第１解列モジュール６に設けられた解列スイッチ９に接続されている。
【００３９】
接続配線９１は、第１無停電電源モジュール１の内部において、第１無停電電源モジュール１の交流入力側スイッチ１５に接続する配線と接続されている。また、接続配線９１は、第１解列モジュール６の内部において、交流入力解列スイッチ６１と接続する配線と接続されている。これにより、接続配線９１は、第１無停電電源モジュール１の交流入力側スイッチ１５と第１解列モジュール６の交流入力解列スイッチ６１とを電気的に接続している。
【００４０】
接続配線９２は、第１無停電電源モジュール１の内部において、第１無停電電源モジュール１の交流出力側スイッチ１６に接続する配線と接続されている。また、接続配線９２は、第１解列モジュール６の内部において、交流出力解列スイッチ６２と接続する配線と接続されている。これにより、接続配線９２は、第１無停電電源モジュール１の交流出力側スイッチ１６と第１解列モジュール６の交流出力解列スイッチ６２とを電気的に接続している。
【００４１】
接続配線９３は、第１無停電電源モジュール１の内部において、第１無停電電源モジュール１の直流入力側スイッチ１７に接続する配線と接続されている。また、接続配線９３は、第１解列モジュール６の内部において、直流入力解列スイッチ６３と接続する配線と接続されている。これにより、接続配線９３は、第１無停電電源モジュール１の直流入力側スイッチ１７と第１解列モジュール６の直流入力解列スイッチ６３とを電気的に接続している。
【００４２】
接続配線９１、９２、および、９３は、対応する各々の解列スイッチ９（交流入力解列スイッチ６１、交流出力解列スイッチ６２、および、直流入力解列スイッチ６３）に接続するために、第１無停電電源モジュール１の筐体１８内から、第１解列モジュール６の筐体６４内に亘って設けられている。
【００４３】
（中継配線）
本実施形態では、第１無停電電源モジュール１は、図３に示すように、他の複数の無停電電源モジュール１０（第２無停電電源モジュール２、第３無停電電源モジュール３、および、第４無停電電源モジュール４）と複数の解列スイッチ９とを電気的に接続するために設けられた中継配線２１、２２、２３、３１、３２、３３、４１、４２、および、４３を筐体１８内に設ける。中継配線２１、２２、２３、３１、３２、３３、４１、４２、および、４３は、中継する各々の無停電電源モジュール１０（第２無停電電源モジュール２、第３無停電電源モジュール３、および、第４無停電電源モジュール４）に対応して、設けられている。
【００４４】
（第２無停電電源モジュールと接続する中継配線）
本実施形態では、第１無停電電源モジュール１は、第２無停電電源モジュール２の電力変換部１１と解列スイッチ９とを電気的に接続するために設けられた交流入力側の中継配線２１、交流出力側の中継配線２２、および、直流入力側の中継配線２３を筐体１８内に含む。なお、中継配線２１、２２、および、２３は、いずれも特許請求の範囲の「第１中継配線」の一例である。
【００４５】
中継配線２１は、第２無停電電源モジュール２の内部において、第２無停電電源モジュール２の交流入力側スイッチ１５に接続する配線と接続されている。また、中継配線２１は、第１解列モジュール６の内部において、交流入力解列スイッチ６１と接続する配線と接続されている。これにより、中継配線２１は、第２無停電電源モジュール２の交流入力側スイッチ１５と第１解列モジュール６の交流入力解列スイッチ６１とを電気的に接続している。
【００４６】
中継配線２２は、第２無停電電源モジュール２の内部において、第２無停電電源モジュール２の交流出力側スイッチ１６に接続する配線と接続されている。また、中継配線２２は、第１解列モジュール６の内部において、交流出力解列スイッチ６２と接続する配線と接続されている。これにより、中継配線２２は、第２無停電電源モジュール２の交流出力側スイッチ１６と第１解列モジュール６の交流出力解列スイッチ６２とを電気的に接続している。
【００４７】
中継配線２３は、第２無停電電源モジュール２の内部において、第２無停電電源モジュール２の直流入力側スイッチ１７に接続されている。また、中継配線２３は、第１解列モジュール６の内部において、直流入力解列スイッチ６３と接続する配線と接続されている。これにより、中継配線２３は、第２無停電電源モジュール２の直流入力側スイッチ１７と第１解列モジュール６の直流入力解列スイッチ６３とを電気的に接続している。
【００４８】
本実施形態では、中継配線２１、２２、および、２３は、対応する各々の解列スイッチ９（交流入力解列スイッチ６１、交流出力解列スイッチ６２、および、直流入力解列スイッチ６３）に接続するために、第２無停電電源モジュール２の筐体１８内から、第１無停電電源モジュール１の筐体１８内を通って、第１解列モジュール６の筐体６４内に亘るまで設けられている。
【００４９】
（第３無停電電源モジュールと接続する中継配線）
本実施形態では、第１無停電電源モジュール１は、第３無停電電源モジュール３の電力変換部１１と解列スイッチ９とを電気的に接続するために設けられた交流入力側の中継配線３１、交流出力側の中継配線３２、および、直流入力側の中継配線３３を筐体１８内に含む。なお、中継配線３１、３２、および、３３は、いずれも特許請求の範囲の「第２中継配線」の一例である。
【００５０】
中継配線３１は、第３無停電電源モジュール３の内部において、第３無停電電源モジュール３の交流入力側スイッチ１５に接続する配線と接続されている。また、中継配線３１は、第１解列モジュール６の内部において、第２解列モジュール７の交流入力解列スイッチ７１と接続する配線と接続されている。これにより、中継配線３１は、第３無停電電源モジュール３の交流入力側スイッチ１５と第２解列モジュール７の交流入力解列スイッチ７１とを電気的に接続している。
【００５１】
中継配線３２は、第３無停電電源モジュール３の内部において、第３無停電電源モジュール３の交流出力側スイッチ１６に接続する配線と接続されている。また、中継配線３２は、第１解列モジュール６の内部において、第２解列モジュール７の交流出力解列スイッチ７２に接続する配線と接続されている。これにより、中継配線３２は、第３無停電電源モジュール３の交流出力側スイッチ１６と第２解列モジュール７の交流出力解列スイッチ７２とを電気的に接続している。
【００５２】
中継配線３３は、第３無停電電源モジュール３の内部において、第３無停電電源モジュール３の直流入力側スイッチ１７に接続する配線と接続されている。また、中継配線３３は、第１解列モジュール６の内部において、第２解列モジュール７の直流入力解列スイッチ７３と接続する配線と接続されている。これにより、中継配線３３は、第３無停電電源モジュール３の直流入力側スイッチ１７と第２解列モジュール７の直流入力解列スイッチ７３とを電気的に接続している。
【００５３】
本実施形態では、中継配線３１、３２、および、３３は、対応する各々の解列スイッチ９（交流入力解列スイッチ７１、交流出力解列スイッチ７２、および、直流入力解列スイッチ７３）に接続するために、第３無停電電源モジュール３の筐体１８内から、第２無停電電源モジュール２の筐体１８内、および、第１無停電電源モジュール１の筐体１８内を通って、第１解列モジュール６の筐体６４内に亘るまで設けられている。
【００５４】
（第４無停電電源モジュールと接続する中継配線）
本実施形態では、第１無停電電源モジュール１は、第４無停電電源モジュール４の電力変換部１１と解列スイッチ９とを電気的に接続するために設けられた交流入力側の中継配線４１、交流出力側の中継配線４２、および、直流入力側の中継配線４３を筐体１８内に含む。なお、中継配線４１、４２、および、４３は、いずれも特許請求の範囲の「第３中継配線」の一例である。なお、第４無停電電源モジュール４は、第３無停電電源モジュール３の第２無停電電源モジュール２が配置された側とは反対側に配置された無停電電源モジュール１０である。
【００５５】
中継配線４１は、第４無停電電源モジュール４の内部において、第４無停電電源モジュール４の交流入力側スイッチ１５に接続する配線と接続されている。また、中継配線４１は、第１解列モジュール６の内部において、第２解列モジュール７の交流入力解列スイッチ７１と接続する配線と接続されている。これにより、中継配線４１は、第４無停電電源モジュール４の交流入力側スイッチ１５と第２解列モジュール７の交流入力解列スイッチ７１とを電気的に接続している。
【００５６】
中継配線４２は、第４無停電電源モジュール４の内部において、第４無停電電源モジュール４の交流出力側スイッチ１６に接続する配線と接続されている。また、中継配線４２は、第１解列モジュール６の内部において、第２解列モジュール７の交流出力解列スイッチ７２と接続する配線と接続されている。これにより、中継配線４２は、第４無停電電源モジュール４の交流出力側スイッチ１６と第２解列モジュール７の交流出力解列スイッチ７２とを電気的に接続している。
【００５７】
中継配線４３は、第４無停電電源モジュール４の内部において、第４無停電電源モジュール４の直流入力側スイッチ１７に接続する配線と接続されている。また、中継配線４３は、第１解列モジュール６の内部において、第２解列モジュール７の直流入力解列スイッチ７３と接続する配線と、の両方に接続されている。これにより、中継配線４３は、第４無停電電源モジュール４の直流入力側スイッチ１７と第２解列モジュール７の直流入力解列スイッチ７３とを電気的に接続している。
【００５８】
本実施形態では、中継配線４１、４２、および、４３は、対応する各々の解列スイッチ９（交流入力解列スイッチ７１、交流出力解列スイッチ７２、および、直流入力解列スイッチ７３）に接続するために、第４無停電電源モジュール４の筐体１８内から、第３無停電電源モジュール３の筐体１８内、第２無停電電源モジュール２の筐体１８内、および、第１無停電電源モジュール１の筐体１８内を通って、第１解列モジュール６の筐体６４内に亘るまで設けられている。
【００５９】
また、本実施形態では、第１解列モジュール６は、複数の無停電電源モジュール１０のうちの一部の無停電電源モジュール１０に接続され、第２解列モジュール７は、複数の無停電電源モジュール１０のうちの残りの無停電電源モジュール１０に接続されている。前述したように、第１解列モジュール６には、接続配線９１、９２、および、９３を介して、第１無停電電源モジュール１が電気的に接続されている。さらに、第１解列モジュール６には、中継配線２１、２２、および、２３を介して、第２無停電電源モジュール２が電気的に接続されている。
【００６０】
また、第２解列モジュール７には、中継配線３１、３２、および、３３を介して、第３無停電電源モジュール３が電気的に接続されている。さらに、第２解列モジュール７には、中継配線４１、４２、および、４３を介して、第４無停電電源モジュール４が電気的に接続されている。
【００６１】
また、接続配線９１、中継配線２１、中継配線３１、および、中継配線４１は、解列モジュール６０（第１解列モジュール６、または、第２解列モジュール７）の交流入力側の解列スイッチ９（交流入力解列スイッチ６１、または、７１）に、電気的に各々接続されており、解列スイッチ９を介して、入力された交流電力を、各々の解列モジュール６０に、伝達するように構成されている。
【００６２】
また、接続配線９２、中継配線２２、中継配線３２、および、中継配線４２は、解列モジュール６０（第１解列モジュール６、または、第２解列モジュール７）の交流出力側の解列スイッチ９（交流出力解列スイッチ６２、または、７２）に、電気的に接続されており、各々の交流出力側スイッチ１６から、解列スイッチ９を介して、負荷５２に交流電力を供給するように構成されている。
【００６３】
また、接続配線９３、中継配線２３、中継配線３３、および、中継配線４３は、解列モジュール６０（第１解列モジュール６、または、第２解列モジュール７）の直流入力側の解列スイッチ９（直流入力解列スイッチ６３、または、７３）に電気的に各々接続されており、解列スイッチ９を介して、入力された直流電力を、各々の解列モジュール６０に、伝達するように構成されている。
【００６４】
また、図３に示すように、接続配線９１、中継配線２１、中継配線３１、中継配線４１、接続配線９２、中継配線２２、中継配線３２、および、中継配線４２は、筐体１８内において、無停電電源モジュール１０の上部（交流入力側スイッチ１５、および、交流出力側スイッチ１６の上方）に配置されている。交流入力側スイッチ１５および交流出力側スイッチ１６は、電力変換部１１よりも上方に配置されている。また、直流入力側スイッチ１７は、電力変換部１１よりも下方に配置されている。
【００６５】
そして、接続配線９１、中継配線２１、中継配線３１、および、中継配線４１は、接続配線９２、中継配線２２、中継配線３２、および、中継配線４２よりも上方に配置されている。また、接続配線９３、中継配線２３、中継配線３３、および、中継配線４３は、無停電電源モジュール１０の下部（直流入力側スイッチ１７の下方）に配置されている。
【００６６】
また、接続配線９１、９２、および、９３は、筐体１８の前面側（矢印Ｙ１方向側）からアクセス可能な位置に配置されている。また、中継配線２１、２２、２３、３１、３２、３３、４１、４２、および、４３は、筐体１８の前面側（矢印Ｙ１方向側）からアクセス可能な位置に配置されている。なお、筐体１８の前面側からアクセス可能な位置とは、筐体１８の前面端部から筐体１８の内部に向かって、一般的な作業者の腕の長さ分の領域における位置である。つまり、ユーザ（作業者）は、筐体１８の前面側から接続配線９１、接続配線９２、接続配線９３、中継配線２１、中継配線２２、中継配線２３、中継配線３１、中継配線３２、中継配線３３、中継配線４１、中継配線４２、および、中継配線４３の取り付けやメンテナンスが可能である。また、「前面側」とは、無停電電源装置１００が壁際などに配置された場合、無停電電源装置１００の壁側（背面側）とは反対側を意味する。
【００６７】
また、筐体１８は、前面側（矢印Ｙ１方向側）を露出するように開閉可能な前面扉（図示せず）を含む。そして、接続配線９１、接続配線９２、接続配線９３、中継配線２１、中継配線２２、中継配線２３、中継配線３１、中継配線３２、中継配線３３、中継配線４１、中継配線４２、および、中継配線４３は、前面扉が開かれた状態において、筐体１８の前面側からアクセス可能な位置に配置されている。
【００６８】
（交流入力側の接続配線および中継配線の詳細な構造）
以下では、解列モジュール６０に接続される接続配線９１、中継配線２１、中継配線３１、および、中継配線４１の詳細な構造について、図４および図５を参照して説明する。
【００６９】
本実施形態では、接続配線９１、中継配線２１、中継配線３１、および、中継配線４１は、複数の板状の導電体（導電体９４１、９４２、および、９４３）と、複数の板状の導電体（導電体９４１、９４２、および、９４３）を覆う絶縁体９４４と、が積層されたラミネートブスバーにより構成されている。
【００７０】
また、本実施形態では、接続配線９１は、ラミネートブスバー９１１により構成されている。また、中継配線２１は、ラミネートブスバー２１１とラミネートブスバー２１２とを連結して構成されている。また、中継配線３１は、ラミネートブスバー３１１、ラミネートブスバー３１２、および、ラミネートブスバー３１３を連結して構成されている。また、中継配線４１は、ラミネートブスバー４１１、ラミネートブスバー４１２、ラミネートブスバー４１３、および、ラミネートブスバー４１４を連結して構成されている。
【００７１】
また、ラミネートブスバー２１１、２１２、３１１、３１２、３１３、４１１、４１２、４１３、４１４、および、９１１は、３枚の板状の導電体９４１、９４２、および、９４３と、板状の導電体９４１、９４２、および、９４３を覆う絶縁体９４４との積層により構成（図５参照）されており、板状の導電体９４１、９４２、および、９４３のそれぞれが、Ｕ相、Ｖ相、および、Ｗ相の各相に対応している。
【００７２】
ラミネートブスバー２１１、２１２、３１１、３１２、３１３、４１１、４１２、４１３、４１４、および、９１１には、解列モジュール６０内部の交流入力側の解列スイッチ９（交流入力解列スイッチ６１、または、交流入力解列スイッチ７１）と接続する配線と、無停電電源モジュール１０内部の交流入力側スイッチ１５と接続する配線と、を電気的に接続するための接続端子部９４（図４参照）が設けられている。接続端子部９４は、ボルト９５の締結によって、解列モジュール６０内部の解列スイッチ９と接続する配線、または、無停電電源モジュール１０内部の交流入力側スイッチ１５と接続する配線に電気的に接続可能に構成されている。
【００７３】
また、接続端子部９４は、隣接して配置されたラミネートブスバーを連結するための端子でもある。ラミネートブスバー２１１、２１２、３１１、３１２、３１３、４１１、４１２、４１３、および、４１４は、隣接して配置されたラミネートブスバーの接続端子部９４同士を、ボルト９５により締結することにより、隣接して配置されたラミネートブスバーを連結可能に構成されている。
【００７４】
接続端子部９４は、Ｕ相、Ｖ相、および、Ｗ相の各相に対応して設けられた導電体９４１、９４２、および、９４３のラミネートブスバーが隣り合う方向の両端部に、１つずつ設けられている。すなわち、それぞれの導電体９４１、９４２、および、９４３に、２つずつ接続端子部９４が設けられており、ラミネートブスバー２１１、２１２、３１１、３１２、３１３、４１１、４１２、４１３、４１４、および、９１１のそれぞれには、接続端子部９４が、合計６つずつ設けられている。
【００７５】
また、本実施形態では、接続配線９１、中継配線２１、中継配線３１、および、中継配線４１は、平面視において、重なるように配置されている。また、図４に示すように、平面視において、重なるように配置した状態において、接続配線９１、中継配線２１、中継配線３１、および、中継配線４１は、接続端子部９４が、上方、または、下方に配置された他のラミネートブスバー（接続先の異なるラミネートブスバー）の接続端子部９４と接触しないように、水平方向にずらして配置されている。
【００７６】
（交流出力側の接続配線および中継配線の詳細な構造）
以下では、解列モジュール６０に接続される接続配線９２、中継配線２２、中継配線３２、および、中継配線４２の詳細な構造について、図６および図７を参照して説明する。
【００７７】
本実施形態では、接続配線９２、中継配線２２、中継配線３２、および、中継配線４２は、複数の板状の導電体（導電体９６１、９６２、および、９６３）と、複数の板状の導電体（導電体９６１、９６２、および、９６３）を覆う絶縁体９６４と、が積層されたラミネートブスバーにより構成されている。
【００７８】
また、本実施形態では、接続配線９２は、ラミネートブスバー９２１により構成されている。また、中継配線２２は、ラミネートブスバー２２１とラミネートブスバー２２２を連結して構成されている。また、中継配線３２は、ラミネートブスバー３２１、ラミネートブスバー３２２、および、ラミネートブスバー３２３を連結して構成されている。また、中継配線４２は、ラミネートブスバー４２１、ラミネートブスバー４２２、ラミネートブスバー４２３、および、ラミネートブスバー４２４を連結して構成されている。
【００７９】
また、ラミネートブスバー２２１、２２２、３２１、３２２、３２３、４２１、４２２、４２３、４２４、および、９２１は、３枚の板状の導電体９６１、９６２、および、９６３と、板状の導電体９６１、９６２、および、９６３を覆う絶縁体９６４との積層により構成（図７参照）されており、板状の導電体９６１、９６２、および、９６３のそれぞれが、がＵ相、Ｖ相、および、Ｗ相の各相に対応している。
【００８０】
ラミネートブスバー２２１、２２２、３２１、３２２、３２３、４２１、４２２、４２３、４２４、および、９２１には、解列モジュール６０内部の交流出力側の解列スイッチ９（交流出力解列スイッチ６２、または、交流出力解列スイッチ７２）と接続する配線と、無停電電源モジュール１０内部の交流出力側スイッチ１６と接続する配線と、を電気的に接続するための接続端子部９６（図６参照）が設けられている。接続端子部９６は、ボルト９５の締結によって、解列モジュール６０内部の解列スイッチ９と接続する配線、または、無停電電源モジュール１０内部の交流出力側スイッチ１６と接続する配線に電気的に接続可能に構成されている。
【００８１】
また、接続端子部９６は、隣接して配置されたラミネートブスバーを連結するための端子でもある。ラミネートブスバー２２１、２２２、３２１、３２２、３２３、４２１、４２２、４２３、および、４２４は、隣接して配置されたラミネートブスバーの接続端子部９６同士を、ボルト９５により締結することにより、隣接して配置されたラミネートブスバーを連結可能に構成されている。
【００８２】
接続端子部９６は、Ｕ相、Ｖ相、および、Ｗ相の各相に対応して設けられた導電体９６１、９６２、および、９６３のラミネートブスバーが隣り合う方向の両端部に、１つずつ設けられている。すなわち、それぞれの導電体９６１、９６２、および、９６３に、２つずつ接続端子部９６が設けられており、ラミネートブスバー２２１、２２２、３２１、３２２、３２３、４２１、４２２、４２３、４２４、および、９２１のそれぞれには、接続端子部９６が、合計６つずつ設けられている。
【００８３】
また、本実施形態では、接続配線９２、中継配線２２、中継配線３２、および、中継配線４２は、平面視において、重なるように配置されている。また、図６に示すように、平面視において、重なるように配置した状態において、接続配線９２、中継配線２２、中継配線３２、および、中継配線４２は、接続端子部９６が、上方、または、下方に配置された他のラミネートブスバー（接続先の異なるラミネートブスバー）の接続端子部９６と接触しないように、水平方向にずらして配置されている。
【００８４】
（直流入力側の接続配線および中継配線の詳細な構造）
以下では、解列モジュール６０に接続される接続配線９３、および、中継配線２３、中継配線３３、および、中継配線４３の詳細な構造について、図８および図９を参照して説明する。
【００８５】
本実施形態では、接続配線９３、中継配線２３、中継配線３３、および、中継配線４３は、複数の板状の導電体（導電体９７１、および、９７２）と、複数の板状の導電体（導電体９７１、および、９７２）を覆う絶縁体９７３と、が積層されたラミネートブスバーにより構成されている。
【００８６】
また、本実施形態では、接続配線９３は、ラミネートブスバー９３１により構成されている。また、中継配線２３は、ラミネートブスバー２３１とラミネートブスバー２３２を連結して構成されている。また、中継配線３３は、ラミネートブスバー３３１、ラミネートブスバー３３２、および、ラミネートブスバー３３３を連結して構成されている。また、中継配線４３は、ラミネートブスバー４３１、ラミネートブスバー４３２、ラミネートブスバー４３３、および、ラミネートブスバー４３４を連結して構成されている。
【００８７】
また、ラミネートブスバー２３１、２３２、３３１、３３２、３３３、４３１、４３２、４３３、４３４、および、９３１は、２枚の板状の導電体９７１、および、９７２と、板状の導電体９７１、および、９７２を覆う絶縁体９７３との積層により構成（図９参照）されており、板状の導電体９７１、および、９７２のそれぞれが、Ｐ相およびＮ相に対応している。
【００８８】
ラミネートブスバー２３１、２３２、３３１、３３２、３３３、４３１、４３２、４３３、４３４、および、９３１には、解列モジュール６０内部の直流入力側の解列スイッチ９（直流入力解列スイッチ６３、または、直流入力解列スイッチ７３）と接続する配線と、無停電電源モジュール１０内部の直流入力側スイッチ１７と接続する配線と、電気的に接続するための接続端子部９７（図８照）が設けられている。接続端子部９７は、ボルト９５の締結によって、解列モジュール６０内部の解列スイッチ９と接続する配線、または、無停電電源モジュール１０内部の直流入力側スイッチ１７と接続する配線に電気的に接続可能に構成されている。
【００８９】
また、接続端子部９７は、隣接して配置されたラミネートブスバーを連結するための端子でもある。ラミネートブスバー２３１、２３２、３３１、３３２、３３３、４３１、４３２、４３３、および、４３４は、隣接して配置されたラミネートブスバーの接続端子部９７同士を、ボルト９５により締結することにより、隣接して配置されたラミネートブスバーを連結可能に構成されている。
【００９０】
接続端子部９７は、Ｐ相およびＮ相の各相に対応して設けられた導電体９７１、および、９７２のラミネートブスバーが隣り合う方向の両端部に、１つずつ設けられている。すなわち、それぞれの導電体９７１、および、９７２に、２つずつ接続端子部９７が設けられており、ラミネートブスバー２３１、２３２、３３１、３３２、４３１、４３２、４３３、４３４、および、９３１のそれぞれには、接続端子部９７が、合計４つずつ設けられている。
【００９１】
また、本実施形態では、接続配線９３、中継配線２３、中継配線３３、および、中継配線４３は、平面視において、重なるように配置されている。また、図８示すように、平面視において、重なるように配置した状態において、接続配線９３、中継配線２３、中継配線３３、および、中継配線４３は、接続端子部９７が、上方、または、下方に配置された他のラミネートブスバー（接続先の異なるラミネートブスバー）の接続端子部９７と接触しないように、水平方向にずらして配置されている。
【００９２】
（本実施形態の効果）
本実施形態では、以下のような効果を得ることができる。
【００９３】
本実施形態では、解列モジュール６０（第１解列モジュール６、および、第２解列モジュール７）は、複数の無停電電源モジュール１０と、入出力モジュール５との間に配置され、複数の無停電電源モジュール１０を無停電電源モジュール１０ごとに電気的に切り離す解列動作を行う解列スイッチ９が収納された筐体６４、および、筐体７４を含む。これにより、解列モジュール６０（第１解列モジュール６、および、第２解列モジュール７）の筐体内（筐体６４、および、筐体７４）に収納された解列スイッチ９により、無停電電源モジュール１０ごとに、無停電電源モジュール１０全体を電気的に切り離すことができるので、交流電源５１からの電力の供給を停止させ、保守を行っていない無停電電源モジュール１０からの給電を完全に停止しなくても、保守を行おうとする無停電電源モジュール１０の全ての部品の保守および交換を行うことができる。その結果、無停電電源モジュール１０の保守を行う際に、保守を行っていない無停電電源モジュール１０により給電を行いながら、保守を行おうとする無停電電源モジュール１０の全ての部品の保守および交換が可能な無停電電源装置１００を提供することができる。
【００９４】
また、本実施形態では、上記のように、解列モジュール６０（第１解列モジュール６、および、第２解列モジュール７）の筐体（筐体６４、および、筐体７４）には、複数の無停電電源モジュール１０の各々に対応するように、複数の無停電電源モジュール１０を無停電電源モジュール１０ごとに解列動作を行う複数の解列スイッチ９が収納されている。これにより、複数の無停電電源モジュール１０ごとに複数の解列スイッチ９が設けられているので、複数の無停電電源モジュール１０ごとの解列動作を確実に行うことができる。
【００９５】
また、本実施形態では、上記のように、解列スイッチ９は、交流入力解列スイッチ６１、交流入力解列スイッチ７１、交流出力解列スイッチ６２、交流出力解列スイッチ７２、直流入力解列スイッチ６３、および、直流入力解列スイッチ７３を含む。これにより、交流入力側、交流出力側、および、直流入力側のそれぞれにおいて、解列スイッチ９（交流入力解列スイッチ６１、交流入力解列スイッチ７１、交流出力解列スイッチ６２、交流出力解列スイッチ７２、直流入力解列スイッチ６３、および、直流入力解列スイッチ７３）が設けられるので、交流入力側、交流出力側、および、直流入力側のそれぞれにおいて、解列動作を行うことができる。
【００９６】
また、本実施形態では、上記のように、複数の無停電電源モジュール１０（第１無停電電源モジュール１、第２無停電電源モジュール２、第３無停電電源モジュール３、および、第４無停電電源モジュール４）は、互いに隣接して配置されており、第１無停電電源モジュール１には、中継配線２１、２２、２３、３１、３２、３３、４１、４２、および、４３が、中継する各々の無停電電源モジュール１０（第２無停電電源モジュール２、第３無停電電源モジュール３、および、第４無停電電源モジュール４）に対応して、設けられている。これにより、第１無停電電源モジュール１に、他の複数の無停電電源モジュール１０（第２無停電電源モジュール２、第３無停電電源モジュール３、および、第４無停電電源モジュール４）と複数の解列スイッチ９とを電気的に接続するために設けられた中継配線２１、２２、２３、３１、３２、３３、４１、４２、および、４３とが設けられていることにより、他の無停電電源モジュール１０（第２無停電電源モジュール２、第３無停電電源モジュール３、および、第４無停電電源モジュール４）は、第１無停電電源モジュール１の中継配線２１、２２、２３、３１、３２、３３、４１、４２、および、４３に電気的に接続するだけで、解列モジュール６０に電気的に接続することができる。その結果、第１無停電電源モジュール１に中継配線２１、２２、２３、３１、３２、３３、４１、４２、および、４３を設けない場合に比べて、他の無停電電源モジュール１０を、容易に解列モジュール６０に電気的に接続することができる。
【００９７】
また、本実施形態では、上記のように、第２無停電電源モジュール２を解列スイッチ９に接続するための中継配線２１、２２、および、２３が、第１無停電電源モジュール１に設けられており、第３無停電電源モジュール３を解列スイッチ９に接続するための中継配線３１、３２、および、３３が、第１無停電電源モジュール１、および、第２無停電電源モジュール２に、設けられている。これにより、中継配線２１、２２、および、２３が、第１無停電電源モジュール１に設けられていることにより、第２無停電電源モジュール２は、中継配線２１、２２、および、２３に電気的に接続するだけで、解列モジュール６０に電気的に接続することができる。また、中継配線３１、３２、および、３３が、第１無停電電源モジュール１、および、第２無停電電源モジュール２に、設けられていることにより、第３無停電電源モジュール３は、中継配線３１、３２、および、３３に電気的に接続するだけで、解列モジュール６０に電気的に接続することができる。その結果、中継配線２１、２２、および、２３を第１無停電電源モジュール１に、中継配線３１、３２、および、３３を第１無停電電源モジュール１、および、第２無停電電源モジュール２に、設けない場合に比べて、第２無停電電源モジュール２、および、第３無停電電源モジュール３と、解列モジュール６０と、を容易に電気的に接続することができる。
【００９８】
また、本実施形態では、上記のように、第１無停電電源モジュール１、第２無停電電源モジュール２、および、第３無停電電源モジュール３には、第３無停電電源モジュール３の第２無停電電源モジュール２が配置された側とは反対側に配置された第４無停電電源モジュール４を解列スイッチ９に接続するための中継配線４１、４２、および、４３が設けられている。これにより、第４無停電電源モジュール４を配置する際に、予め設けられた中継配線４１、４２、および、４３に接続することにより、第４無停電電源モジュール４と解列モジュール６０とを電気的に接続することができる。これにより、第４無停電電源モジュール４を配置する際に、解列モジュール６０と電気的に接続するための配線を新たに設ける場合に比べて、第４無停電電源モジュール４の増設を容易に行うことができる。
【００９９】
また、本実施形態では、上記のように、接続配線（接続配線９１、９２、および、９３）、および、中継配線（中継配線２１、２２、２３、３１、３２、３３、４１、４２、および、４３）は、共に、複数の板状の導電体と、複数の板状の導電体を覆う絶縁体との積層により構成されたラミネートブスバーであり、接続配線９１、９２、および、９３は、１つのラミネートブスバーにより構成されており、中継配線２１、２２、および、２３は、２つのラミネートブスバーを連結して構成されており、中継配線３１、３２、および、３３は、３つのラミネートブスバーを連結して構成されており、接続配線（接続配線９１、９２、および、９３）、第２無停電電源モジュール２と接続する中継配線（中継配線２１、２２、および、２３）、および、第３無停電電源モジュール３と接続する中継配線（中継配線３１、３２、および、３３）は、平面視において、重なるように配置されている。これにより、接続配線９１、接続配線９２、接続配線９３、中継配線２１、中継配線２２、中継配線２３、中継配線３１、中継配線３２、および、中継配線３３の各々を絶縁した状態において、重ねて配置することができるので、配置スペースが狭い場合でも、接続配線９１、接続配線９２、接続配線９３、中継配線２１、中継配線２２、中継配線２３、中継配線３１、中継配線３２、および、中継配線３３を容易に配置することができる。
【０１００】
また、中継配線２１、２２、２３、３１、３２、および、３３は、複数のラミネートブスバーを連結して構成されているので、ラミネートブスバーの連結箇所からの取り外し、および、取り付けを行うことができる。これにより、１つのラミネートブスバーにより、中継配線２１、２２、２３、３１、３２、および、３３を構成する場合に比べて、取り外し、および、取り付け可能な箇所を増やすことができる。その結果、各無停電電源モジュール１０の取り外し、および、増設の際に、中継配線２１、２２、２３、３１、３２、および、３３の取り外し、および、取り付けを容易に行うことができる。
【０１０１】
また、本実施形態では、上記のように、第１解列モジュール６は、複数の無停電電源モジュール１０のうちの一部の無停電電源モジュール１０（第１無停電電源モジュール１、および、第２無停電電源モジュール２）に接続され、第２解列モジュール７は、複数の無停電電源モジュール１０のうちの残りの無停電電源モジュール１０（第３無停電電源モジュール３、および、第４無停電電源モジュール４）に接続されている。これにより、第１解列モジュール６および第２解列モジュール７のそれぞれに無停電電源モジュール１０が接続されるので、一方の解列モジュール６０に不具合が発生して、一方の解列モジュール６０に接続された無停電電源モジュール１０を用いての電力供給が行えない場合でも、もう一方の解列モジュール６０に接続された無停電電源モジュール１０を用いて電力供給を行うことができる。
【０１０２】
また、本実施形態では、上記のように、解列モジュール６０（第１解列モジュール６、および、第２解列モジュール７）の１つあたりの幅Ｗ１は、無停電電源モジュール１０の１つあたりの幅Ｗ２よりも小さい。これにより、解列モジュール６０の１つあたりの幅Ｗ１が、無停電電源モジュール１０の１つあたりの幅Ｗ２より小さくなるので、解列モジュール６０（第１解列モジュール６、および、第２解列モジュール７）を設けても、解列モジュール６０の１つあたりの幅Ｗ１が、無停電電源モジュール１０の１つあたりの幅Ｗ２よりも大きい、または、同じ場合に比べて、無停電電源装置１００全体の幅が大きくなるのを抑制することができる。
【０１０３】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【０１０４】
たとえば、上記実施形態では、交流入力側の接続配線９１と、交流入力側の中継配線２１、３１、および、４１と、交流出力側の接続配線９２と、交流出力側の中継配線２２、３２、および、４２と、が筐体１８内において、無停電電源モジュール１０の上部に配置され、直流入力側の接続配線９３と、直流入力側の中継配線２３、３３、および、４３と、が筐体１８内において、無停電電源モジュール１０の下部に配置されている例を示したが、本発明はこれに限られない。本発明では、たとえば、直流入力側の接続配線、および、直流入力側の中継配線を、無停電電源モジュールの上部に配置してもよいし、交流入力側の接続配線、交流入力側の中継配線、交流出力側の接続配線、および、交流出力側の中継配線を、無停電電源モジュールの下部に配置しよい。この場合、交流入力側スイッチ、および、交流出力側スイッチは、電力変換部の下方に配置され、直流入力側スイッチは、電力変換部の上方に配置される。
【０１０５】
また、上記実施形態では、交流入力側の接続配線９１と、交流入力側の中継配線２１、３１、および、４１と、交流出力側の接続配線９２と、交流出力側の中継配線２２、３２、および、４２と、が筐体１８内において、無停電電源モジュール１０の上部に配置され、直流入力側の接続配線９３と、直流入力側の中継配線２３、３３、および、４３と、が筐体１８内において、無停電電源モジュール１０の下部に配置されている例を示したが、本発明はこれに限られない。本発明では、交流入力側の接続配線、交流入力側の中継配線、交流出力側の接続配線、交流出力側の中継配線、直流入力側の接続配線、および、直流入力側の中継配線は、無停電電源モジュールの筐体内の中央部近傍に配置してもよい。すなわち、交流入力側の接続配線、交流入力側の中継配線、交流出力側の接続配線、交流出力側の中継配線、直流入力側の接続配線、および、直流入力側の中継配線を、無停電電源モジュールの電力変換部と、交流入力側スイッチ、交流出力側スイッチ、および、直流入力側スイッチとの間に配置してもよい。
【０１０６】
また、上記実施形態では、無停電電源装置１００に、４つの無停電電源モジュール１０（第１無停電電源モジュール１、第２無停電電源モジュール２、第３無停電電源モジュール３、および、第４無停電電源モジュール４）が設けられる例を示したが、本発明はこれに限られない。たとえば、無停電電源装置に、無停電電源モジュールが２つ、もしくは、３つ、または、５つ以上設けられていてもよい。
【０１０７】
また、上記実施形態では、無停電電源装置１００に、２つの解列モジュール６０（第１解列モジュール６、および、第２解列モジュール７）が設けられる例を示したが、本発明はこれに限られない。たとえば、無停電電源装置に、解列モジュールが１つ、または、３つ以上設けられていてもよい。
【０１０８】
また、上記実施形態では、接続配線９１、９２、および、９３は、１つのラミネートブスバーにより構成されている例を示したが、本発明はこれに限られない。本発明では、接続配線は、複数のラミネートブスバーにより構成してもよい。また、接続配線は、ラミネートブスバー以外の絶縁体に覆われていない銅などの導線性を有する部材からなる配線により構成してもよい。
【０１０９】
また、上記実施形態では、中継配線２１、２２、および、２３（第１中継配線）は、２つのラミネートブスバーにより構成されている例を示したが、本発明はこれに限られない。本発明では、第１中継配線は、１つ、または、３つ以上のラミネートブスバーにより構成してもよい。また、第１中継配線は、ラミネートブスバー以外の絶縁体に覆われていない銅などの導線性を有する部材からなる配線により構成してもよい。
【０１１０】
また、上記実施形態では、中継配線３１、３２、および、３３（第２中継配線）は、３つのラミネートブスバーにより構成されている例を示したが、本発明はこれに限られない。本発明では、第２中継配線は、１つ、もしくは、２つ、または、４つ以上のラミネートブスバーにより構成してもよい。また、第２中継配線は、ラミネートブスバー以外の絶縁体に覆われていない銅などの導線性を有する部材からなる配線により構成してもよい。
【０１１１】
また、上記実施形態では、中継配線４１、４２、および、４２（第３中継配線）は、４つのラミネートブスバーにより構成されている例を示したが、本発明はこれに限られない。本発明では、第３中継配線は、１つから３つ、または、５つ以上のラミネートブスバーにより構成してもよい。また、第３中継配線は、ラミネートブスバー以外の絶縁体に覆われていない銅などの導線性を有する部材からなる配線により構成してもよい。
【０１１２】
また、上記実施形態では、解列モジュール６０（第１解列モジュール６、および、第２解列モジュール７）の１つあたりのＸ方向に沿った幅Ｗ１は、無停電電源モジュール１０の１つあたりのＸ方向に沿った幅Ｗ２よりも小さく構成されている例を示したが、本発明はこれに限られない。本発明では、解列モジュールの１つあたりの幅は、無停電電源モジュールの１つあたりの幅よりも大きくなるように構成してもよいし、解列モジュールの１つあたりの幅と、無停電電源モジュールの１つあたりの幅と、が同じ幅となるように構成してもよい。
【０１１３】
また、上記実施形態では、解列スイッチ９は、無停電電源モジュール１０の交流入力側に設けられた交流入力解列スイッチ６１、および、交流入力解列スイッチ７１と、交流出力側に設けられた交流出力解列スイッチ６２、および、交流出力解列スイッチ７２と、直流入力側に設けられた直流入力解列スイッチ６３、および、直流入力解列スイッチ７３と、を含む例を示したが、本発明はこれに限られない。本発明では、無停電電源モジュールの交流入力側、交流出力側、および、直流入力側のいずれか１つ、または、いずれか２つに解列スイッチを設けるように構成してもよい。
【０１１４】
また、上記実施形態では、筐体１８内に、交流入力側の中継配線２１、３１、および、４１と、交流出力側の中継配線２２、３２、および、４２と、直流入力側の中継配線２３、３３、および、４３と、を設けた例を示したが、本発明は、これに限られない。本発明では、交流入力側、交流出力側、および、直流入力側のいずれかに中継配線を設けるようにしてもよい。
【０１１５】
また、上記実施形態では、無停電電源装置１００に設けた制御モジュール８により、複数の無停電電源モジュール１０（第１無停電電源モジュール１、第２無停電電源モジュール２、第３無停電電源モジュール３、および、第４無停電電源モジュール４）の制御を行うように構成した例を示したが、本発明は、これに限られない。本発明では、制御モジュールを設けずに入出力モジュール、または、解列モジュールに設けられた制御部により、複数の無停電電源モジュールの制御を行うようにしてもよい。この場合、直送回路は、入出力モジュール、または、解列モジュールに設けられる。
【符号の説明】
【０１１６】
１  第１無停電電源モジュール
２  第２無停電電源モジュール
３  第３無停電電源モジュール
５  入出力モジュール
６  第１解列モジュール
７  第２解列モジュール
９  解列スイッチ
１０  無停電電源モジュール
１１  電力変換部
２１、２２、２３  中継配線（第１中継配線）
３１、３２、３３  中継配線（第２中継配線）
４１、４２、４３  中継配線（第３中継配線）
５１  交流電源
６０  解列モジュール
６１  交流入力解列スイッチ
６２  交流出力解列スイッチ
６３  直流入力解列スイッチ
６４  筐体
７１  交流入力解列スイッチ
７２  交流出力解列スイッチ
７３  直流入力解列スイッチ
７４  筐体
９１、９２、９３  接続配線
１００  無停電電源装置
２１１、２１２  ラミネートブスバー
２２１、２２２  ラミネートブスバー
２３１、２３２  ラミネートブスバー
３１１、３１２、３１３  ラミネートブスバー
３２１、３２２、３２３  ラミネートブスバー
３３１、３３２、３３３  ラミネートブスバー
４１１、４１２、４１３、４１４  ラミネートブスバー
４２１、４２２、４２３、４２４  ラミネートブスバー
４３１、４３２、４３３、４３４  ラミネートブスバー
９１１  ラミネートブスバー
９２１  ラミネートブスバー
９３１  ラミネートブスバー
Ｗ１  解列モジュールの幅
Ｗ２  無停電電源モジュールの幅
【要約】
【課題】無停電電源モジュールの保守を行う際に、保守を行っていない無停電電源モジュールにより給電を行いながら、保守を行おうとする無停電電源モジュールの全ての部品の保守および交換が可能な無停電電源装置を提供する。
【解決手段】無停電電源装置１００は、交流電源５１から受電した電力の変換を行う電力変換部１１を含む複数の無停電電源モジュール１０と、交流電源５１から受電した電力を電力変換部１１に入力するとともに、電力変換部１１により変換された電力を外部に出力する入出力モジュール５と、複数の無停電電源モジュール１０と、入出力モジュール５との間に配置され、複数の無停電電源モジュール１０を無停電電源モジュール１０ごとに電気的に切り離す解列動作を行う解列スイッチ９が収納された筐体６４および筐体７４を含む解列モジュール６０と、を備える。
【選択図】図１【図１】
0006597929.tif 000002
【図２】
0006597929.tif 000003
【図３】
0006597929.tif 000004
【図４】
0006597929.tif 000005
【図５】
0006597929.tif 000006
【図６】
0006597929.tif 000007
【図７】
0006597929.tif 000008
【図８】
0006597929.tif 000009
【図９】
0006597929.tif 000010